(57)【特許請求の範囲】
【請求項１】
一つ又は複数の空調装置の室外機と、前記一つ又は複数の空調装置の室外機を収容する収容室と、前記収容室内の前記室外機の熱媒体と熱交換する気体の温度を調整する気体温度調整装置とを含む、室外機システムであって、
前記気体温度調整装置は、地下水と前記収容室の気体との間で熱交換を行うための熱交換器であって、この気体温度調整装置は、
前記気体と前記地下水との間で熱交換を行うための気液接触室と、
前記気液接触室内に前記地下水を導入するための液体導入口と、
前記気液接触室内の前記地下水を導出するための液体導出口と、
前記気液接触室内に前記気体を導入するための気体導入口と、
前記気液接触室内の前記気体を導出するための気体導出口と、
前記気液接触室内の前記気体の圧力又は前記気液接触室内に導入する前記気体の圧力を制御する圧力制御手段と、
を含み、前記圧力制御手段は、コンプレッサーを用いずにブロアを用いて前記気体の圧力制御を行う構成とされていることを特徴とする室外機システム。
【請求項２】
前記気体温度調整装置で温度調整された気体を、熱媒体と熱交換する気体を吸入する室外機の吸入部に向けて案内する案内路を含むことを特徴とする請求項１記載の室外機システム。
【請求項３】
前記気体温度調整装置は、再生可能エネルギーに由来する電源により駆動される構成とされていることを特徴とする請求項１，２のいずれか1項に記載の室外機システム。
【請求項４】
請求項１〜３のいずれか１項に記載の室外機システムを含むことを特徴とする空調システム。
【発明の詳細な説明】
【技術分野】
【０００１】
本発明は、空調装置の室外機を含む室外機システムおよび空調システムに関する。
【背景技術】
【０００２】
一般的に、空調システムにおいて、室内機と室外機との間に熱媒体を循環させ、室外機において外気と熱媒体との間で熱交換している（特許文献１）。
【先行技術文献】
【特許文献】
【０００３】
【特許文献１】特開昭６０−１４７０７８号公報
【発明の概要】
【発明が解決しようとする課題】
【０００４】
本発明の目的は、エネルギー消費効率が向上した室外機システムおよび空調システムを提供することにある。
【課題を解決するための手段】
【０００５】
本発明に係る室外機システムは、
一つ又は複数の空調装置の室外機と、
前記室外機において熱媒体と熱交換する気体の温度を調整する気体温度調整装置とを含む。
【０００６】
本発明によれば、気体温度調整装置により温度調整された気体が室外機に取り込まれ、熱媒体と熱交換することになる。このため、収容室内の気体の温度を制御することで、冷暖房平均エネルギー消費効率が高くなる温度にすることができ、空調システムの省エネルギー効果を高めることができる。
【０００７】
すなわち、本発明によれば、室外機が収容室内に収容され、気体温度調整装置により、その収容室内の気体の温度を制御することができるため、室外機は収容室内の温度が制御された気体を取り込み、外気を直接に取り込むことにはならない。したがって、収容室内の気体の温度を制御することで、冷暖房平均エネルギー消費効率が高くなる温度にすることができ、空調システムの省エネルギー効果を高めることができる。
【０００８】
また、室外機からの廃熱の過度な高温化、低温化を避けることができるため、夏場のヒートアイランド対策にもなる。また、冬場のデフロスト運転を回避することができる。
【０００９】
また、本発明において、更に前記気体温度調整装置で温度調整された気体を、熱媒体と熱交換する室外機の吸入部に向けて案内する案内路を含むことができる。
【００１０】
このように、気体温度調整装置で温度調整された気体を室外機に向けて案内する案内路を設けた構成とすれば、熱交換する気体の温度を調整して、その気体が室外機に向けて案内供給されることになるため、気体温度調整装置により、室外機の吸入部から入る気体の温度を制御することができる。このため、室外機は気体温度調整装置によって温度が制御された気体を取り込むことになる。したがって、気体温度調整装置によって室外機に供給する気体の温度を制御することで、冷暖房平均エネルギー消費効率が高くなる温度にすることができ、空調システムの省エネルギー効果を高めることができる。
【００１１】
また、室外機からの廃熱の過度な高温化、低温化を避けることができるため、夏場のヒートアイランド対策にもなる。また、冬場のデフロスト運転を回避することができる。
【００１２】
また、本発明において、前記気体温度調整装置は、地下水と前記収容室の気体との間で熱交換を行うための熱交換器であることができる。これにより、より省エネルギー化を図ることができる。
【００１３】
また、本発明において、気体温度調整装置は、
気体と地下水との間で熱交換を行うための気液接触室と、
前記気液接触室内に地下水を導入するための液体導入口と、
前記気液接触室内の地下水を導出するための液体導出口と、
前記気液接触室内に気体を導入するための気体導入口と、
前記気液接触室内の気体を導出するための気体導出口と、
前記気液接触室内の気体の圧力、又は、前記気液接触室内に導入する気体の圧力を制御する圧力制御手段と、を含み、
前記圧力制御手段は、コンプレッサーを用いずに気体の圧力制御を行い、ブロワを含んで構成される。
【００１４】
本発明においては、圧力制御手段がコンプレッサーを用いずに気体の圧力制御を行い、ブロワを含んで構成されていることで、省エネルギー性能が向上した気体温度調整装置を実現することができる。
【００１５】
本発明において、前記ブロワは、吐出圧が０．１〜２．０ｋｇｆ／ｃｍ２とすることができる。
【００１６】
本発明において、前記ブロワは、前記気液接触室内に気体を導入する前において、当該気体を加圧することができる。これにより、気液接触室内の気体が加圧状態になり、気液接触室から導出された気体が外に排出される際に、断熱的に膨張するために気体の温度を低下させることができる。
【００１７】
また、本発明において、前記ブロワは、前記気液接触室内の気体を吸引することができる。これにより、気液接触室内の圧力が負圧状態となることから、気体が断熱的に膨張し、温度が低下し、飽和水蒸気量が低下する。このため、気体中に含まれる水蒸気の一部が液体の水となり、潜熱が発生し、その潜熱エネルギーが気体に取り込まれる。また、気体の圧力が負圧の状態になっているため、気体が外部に放出される際に、断熱的に加圧されるために、温度がその分だけ、上昇することになる。
【００１８】
また、本発明において、前記ブロワは、前記気体導入口および前記気体導出口に接続され、前記気体導入口と前記送風装置との間に第１の開閉部が設けられ、前記気体導出口と前記送風装置との間に第２の開閉部が設けられている構成とすることができる。これにより、開閉部を切り替えることで、ブロワを気液接触室の上流側と下流側との切り替えをすることができる。
【図面の簡単な説明】
【００１９】
【図１】第１の空調システムおよび室外機システムを模式的に示す図である。
【図２】第２の空調システムおよび室外機システムを模式的に示す図である。
【図３】気液接触装置を模式的に示す図である。
【図４】冷房運転時における気液接触装置の説明図である。
【図５】暖房運転時における気液接触装置の説明図である。
【発明を実施するための形態】
【００２０】
以下、本発明の好適な実施の形態について図面を参照しながら説明する。
【００２１】
１．第１の空調システムおよび第１の室外機システム
空調システムおよび室外機システムの一例として、第１の空調システムおよび第１の室外機システムを説明する。
【００２２】
第１の空調システム１００は、空調室１２２内にある室内機１２０と、室外機システム１１０とを含む。第１の室外機システム１１０は、一つ又は複数の空調装置の室外機１１２と、一つ又は複数の空調装置の室外機１１２を収容する収容室１１４と、気体温度調整装置１１６とを含む。
【００２３】
室内機１２０と室外機１１２との間に熱媒体が循環している。室内機１２０および室外機１１２は特に限定されず、空調装置の公知の室内機および室外機を適用することができる。
【００２４】
室内機１２０において、熱媒体と室内機１２０のある空調室１２２内の気体との間で熱交換が行われる。室外機１１２において、熱媒体と収容室１１４内の気体との間で、熱交換が行われる。
【００２５】
気体温度調整装置１１６は、室外機１１２において熱媒体と熱交換する気体の温度を調整するものである。第１の空調システムおよび第１の室外機システムにおいて、気体温度調整装置１１６は、具体的には、収容室１１４の気体の温度を冷却又は加温する。気体温度調整装置１１６は、後述する地下水を利用した気液接触装置としている。
【００２６】
収容室１１４は、建屋であっても、ビニールハウスなどのシート状のハウスであってもよく、室外機１１２が覆われていればよい。収容室１１４には、必要に応じて、開閉可能な通気口（図示せず）を設けてもよい。収容室１１４内の気体の温度を計測するための温度計測器（図示せず）を設けてもよい。収容室１１４は、公知の断熱材からなるとができる。収容室１１４は、密閉されていても、又は、開口部により一部開放されていてもよい。
【００２７】
以下、第１の室外機システム１１０および第１の空調システム１００の作用効果を説明する。
【００２８】
第１の室外機システム１１０および第１の空調システム１００において、室外機１１２が収容室１１４内にあり、その収容室１１４内にある気体の温度を調整する気体温度調整装置１１６が設けられている。室外機１１２が収容室１１４内にあることで、室外機１１２は、収容室１１４の気体と熱媒体との間で、熱交換されることになる。空調システムが冷房運転の場合、室外機において熱媒体と熱交換する外気の温度が高いと、冷暖房平均エネルギー消費効率（ＣＯＰ）が低くなる。一方、暖房運転の場合、室外機１１２において熱媒体と熱交換する外気の温度が低いと冷暖房平均エネルギー消費効率（ＣＯＰ）が低くなる。
【００２９】
第１の室外機システム１１０および第１の空調システム１００においては、室外機１１２が収容室１１４内に収容され、気体温度調整装置１１６により、その収容室１１４内の気体の温度を制御することができる。このため、室外機１１２は収容室１１４内の温度が制御された気体を取り込み、外気を直接に取り込むことにはならない。したがって、収容室１１４内の気体の温度を制御することで、冷暖房平均エネルギー消費効率が高くなる温度にすることができ、空調システム１００の省エネルギー効果を高めることができる。
【００３０】
また、室外機１１２からの廃熱の過度な高温化、低温化を避けることができるため、夏場のヒートアイランド対策にもなる。また、冬場のデフロスト運転を回避することができる。
【００３１】
２．第２の空調システムおよび室外機システム
空調システムおよび室外機システムの一例として、第１の空調システムおよび第１の室外機システムを説明する。
【００３２】
第２の空調システム２００および第２の室外機システム２１０は、気体温度調整装置１１６で温度調整された気体を室外機１１２の気体吸入部１１２ａに向けて案内する案内路２２０を設けている点で、第１の空調システム１００および室外機システム１１０と異なり、それ以外の点については基本的に同様である。
【００３３】
第２の空調システムおよび第２の室外機システムは、気体温度調整装置で温度調整された気体を室外機の気体吸入部（熱媒体と熱交換する気体を吸入する室外機の吸入部）１１２ａに向けて送るための送風装置（ファンなど）２３０を設けてもよい。案内路は、たとえば、ダクトや、筒状のもので構成することができる。
【００３４】
第２の空調システム２００および第２の室外機システム２１０において、気体温度調整装置１１６で温度調整された気体を室外機１１２に向けて案内する案内路２２０を設けている。熱交換する気体の温度を調整して、その気体が室外機１１２に向けて供給されることになるため、気体温度調整装置１１６により、室外機１１２の気体吸入部１１２ａから入る気体の温度を制御することができる。このため、室外機１１２は気体温度調整装置１１６によって温度が制御された気体を取り込むことになる。したがって、気体温度調整装置１１６によって室外機１１２に供給する気体の温度を制御することで、冷暖房平均エネルギー消費効率が高くなる温度にすることができ、空調システム１００の省エネルギー効果を高めることができる。
【００３５】
また、室外機１１２からの廃熱の過度な高温化、低温化を避けることができるため夏場のヒートアイランド対策にもなる。また、冬場のデフロスト運転を回避することができる。
【００３６】
２．気体温度調整装置
（１）構成
次に、好適な温度調整装置について説明する。温度調整装置として気液接触装置１０を採用した場合の気体温度調整装置を説明する。
【００３７】
この気液接触装置１０は、冷房又は暖房装置として機能することができる。気液接触装置１０は、気体と液体との間で熱交換を行うための気液接触室２０と、気液接触室２０内に液体を導入するための液体導入口３０と、気液接触室２０内の液体を導出するための液体導出口３２と、気液接触室２０内に気体を導入するための気体導入口４０と、気液接触室２０内の気体を導出するための気体導出口４２と、気液接触室２０の気体の圧力を制御する圧力制御手段５０と、を含む。
【００３８】
気液接触室２０は、たとえば、直接気液接触塔により構成することができる。気液接触室２０内には、ラシヒリングなどの充填材２２を設けてもよい。気液接触室２０内の圧力を計測するための圧力計２４を設けることができる。
【００３９】
圧力制御手段５０は、コンプレッサーを用いずに圧力制御を行い、ブロワＢ１により構成されている。ブロワＢ１は、吐出圧がたとえば気圧の２倍前後、具体的には、０．１〜２．０ｋｇｆ／ｃｍ２、好ましくは０．１〜１．５ｋｇｆ／ｃｍ２、より好ましくは０．１〜１．０ｋｇｆ／ｃｍ２とすることができる。ブロワＢ１は、気液接触室２０内に気体を導入する前において気体を加圧する機能、及び、気液接触室２０内の気体を吸引する機能の少なくとも一方の機能を有する。ブロワＢ１は、ターボ機能を有するターボブロワであってもよい。
【００４０】
気液接触装置１０は、第１〜第５の管路７０ａ〜７０ｅおよび第１〜７の開閉装置６０ａ〜６０ｇを有する。第１〜第５の管路７０ａ〜７０ｅは、気体が通過する管路であり、公知の管を適用することができる。第１〜第７の開閉装置６０ａ〜６０ｇは、たとえば、開閉バルブなどから構成され、開いていたときには気体又は液体が通過させ、閉じたときには気体又は液体を通過させないようにするものである。
【００４１】
第１の管路７０ａは、一方の端が気液接触室２０の気体導入口４０に接続されている。第２の管路は、一方の端が気液接触室２０の気体導出口４２に接続されている。
【００４２】
第３の管路７０ｃは、第１の管路７０ａと第２の管路７０ｂとをつないでいる。第３の管路７０ｃには、ブロワＢ１が設けられている。ブロワＢ１と第１の管路７０ａとの間の第３の管路７０ｃの途中に第１の開閉装置６０ａが設けられている。ブロワＢ１と第２の管路７０ｂとの間の第３の管路７０ｃの途中に第２の開閉装置６０ｂが設けられている。第１の管路７０ａにおいて、第３の管路７０ｃとの接続箇所を基準に気液接触室２０とは逆側に、第３の開閉装置６０ｃが設けられている。第２の管路７０ｂにおいて、第３の管路７０ｃとの接続箇所を基準に気液接触室２０とは逆側に、第４の開閉装置６０ｄが設けられている。
【００４３】
第４の管路７０ｄは、第１の管路７０ａとブロワＢ１との間の第３の管路７０ｃに接続されている。第４の管路７０ｄには、第５の開閉装置６０ｅが設けられている。第５の管路７０ｅは、第１の管路７０ａとブロワＢ１との間の第３の管路７０ｃに接続されている。第５の管路７０ｅには、第６の開閉装置６０ｆが設けられている。
【００４４】
気液接触室２０には、液体（たとえば水、特に地下水）を導入するための液体導入管８０が設けられている。必要に応じて、ポンプにより液体を気液接触室に導入することができる。液体の導入の仕方は、特に限定されず、たとえば導入管から公知の噴霧装置により霧状にして導入してもよいし、噴霧装置を介さずに導入管から直接導入してよい。噴霧装置を介さずに導入管から直接導入する場合には、ラシヒリングなどの充填材や多層の接触板などに液体を供給し、気液接触を図ってもよい。このようにすることで、気液接触の熱交換効率を高めることができる。
【００４５】
気液接触室２０には、下に貯まった液体を排出するための液体排出管８２が設けられている。液体排出管８２に、第７の開閉装置６０ｇが設けられている。
【００４６】
（２）動作原理
（ａ）冷房運転時の場合
冷房運転時においては、第１の開閉装置６０ａ、第４の開閉装置６０ｄおよび第６の開閉装置６０ｆを開くと共に、第２の開閉装置６０ｂ、第３の開閉装置６０ｃ、第５の開閉装置６０ｅを閉じる。
【００４７】
ポンプＰ１を稼働させ液体（たとえば地下水）を気液接触室２０内に導入し、第７の開閉装置６０ｇを開き、気液接触室２０の液体を排出する。液体は、気液接触室２０内に霧状で導入することができる。液体は、気体の温度よりも低い温度とすることができる。
【００４８】
ブロワＢ１を稼働させ、第５の管路７０ｅ、第３の管路７０ｃ、第１の管路７０ａを通じて、気体を気液接触室２０内に導入する。ブロワＢ１により気体に加えられる圧力により、気体が断熱的に加圧され、その分だけ、温度が上昇する。
【００４９】
気液接触室２０内に導入された気体は、液体と直接に接触し、熱交換が行われ、液体により冷却される。気体は加圧された状態で液体の温度と同じかその温度に近い温度まで冷却される。冷却された気体は、第２の管路７０ｂを通じて、排出される。その排出時において、断熱的に膨張し、気体の温度が低下することになる。つまり、液体による冷却の他に、排出時に、断熱的に膨張する作用により、気体の温度がより低下することになる。
【００５０】
たとえば、地下水の温度をたとえば１５℃とし、導入する気体の温度を２５〜３０℃としたとき、ブロワＢ１により加圧された状態の気体は、地下水にて１５℃まで冷却される。加圧された状態の気体は、排出される際に断熱的に膨張し、気体温度はさらに低下し、気体温度は１５℃未満になる。排出された気体の湿度は、たとえば９５％以上となる。
【００５１】
（ｂ）暖房運転時の場合
暖房運転時においては、第２の開閉装置６０ｂ、第３の開閉装置６０ｃおよび第５の開閉装置６０ｅを開くと共に、第１の開閉装置６０ａ、第４の開閉装置６０ｄ、第６の開閉装置６０ｆを閉じる。
【００５２】
ポンプＰ１を稼働させ液体（たとえば地下水）を気液接触室２０内に導入し、第７の開閉装置６０ｇを開き、気液接触室２０に導入された液体を排出する。液体は、気液接触室２０内に霧状で導入することができる。液体は、気体の温度よりも高い温度とすることができる。
【００５３】
ブロワＢ１を稼働させ、第１の管路７０ａを通じて、気体を気液接触室２０内に導入する。
【００５４】
気体は、液体と直接に接触し、熱交換が行われ、液体により加温される。気体は減圧された状態で液体の温度と同じかその温度に近い温度まで加温される。加温された気体は、ブロワＢ１により吸引され、第２の管路７０ｂ、第３の管路７０ｃおよび第４の管路７０ｄを通じて、排出される。ブロワＢ１により、気液接触室２０内から気体が吸引されることで、気液接触室２０内の気体が減圧下（負圧状態）におかれる。気液接触室２０内の気体が減圧した分だけ、気液接触室２０内で気体が断熱的に膨張することになり、気体の温度が低下し、飽和水蒸気量が低下する。その結果、気体中に含まれる水蒸気の一部が液体の水になり、潜熱が発生する。その潜熱は気体に取り込まれる。
【００５５】
ブロワＢ１を通じて、気体は加圧され温度が上がると共に、第４の管路７０ｄを通じて排出された加温された減圧状態の気体は、断熱的に圧縮して放出されるため、気体の温度がさらに上昇することになる。
【００５６】
地下水の温度をたとえば１５℃とし、導入する気体の温度を−１０〜１０℃としたとき、気体は地下水にて１５℃まで加温される。減圧状態の気体は、ブロアＢ１により加圧され、かつ、排出される際に断熱的に圧縮されるため、気体温度はさらに上昇し、気体温度は１５℃を越えることになる。排出された気体の湿度は、たとえば９５％以下となる。
【００５７】
（３）作用効果
この気液接触装置１０によれば、気体を流すための動力源としてブロワＢ１を利用するのみで足りるため、消費電力が極端に少なく、地下水を汲むためのポンプと合わせても、大幅な省エネルギー効果を実現することができる。コンプレッサーを使用せず、動力はブロワのみで大量の空気を熱交換できるため、最小の電力で大きな熱エネルギーの移動を成し遂げることが可能となるシステムである。つまり、この気液接触装置１０によれば、地下水をヒートポンプの冷却水として用いる方式に比べて、コンプレッサーを使用せず、動力は送風装置（ブロワ）のみで大量の空気を熱交換できるため、最小の電力で大きな熱エネルギーの移動を成し遂げることが可能となるシステムである。
【００５８】
この気液接触装置１０によれば、地下水を熱源とした冷暖房装置を実現することができる。地下水の安定した水温（年間通じ約１５〜１８℃）を利用して空調を行う方式として、地下水を冷却水として直接水冷式のヒートポンプに導入し、熱回収を行い、冷水・温水を生み出す「地下水熱利用ヒートポンプ方式」が挙げられる。この方式は水を熱源とするため、空気大気からの採熱や一般的な地中熱利用ヒートポンプ方式に比べ熱効率がはるかに高く、効率の良いシステムとなっている。しかし大量の地下水利用には、恒常的に確保できる水量・水質が地域によって限界があり、実施が進んでいない。
【００５９】
一方、気液接触装置１０において、地下水を熱源とし、地下水を空気に直接気液接触させることで、ヒートポンプによる方式や、地下水を直接ファンコイルユニットに導く方式に比べても、熱交換部でのロスがなく、高い効率性を実現することができる。
【００６０】
また、動力源はブロワ程度のごく小電力の装置を使うだけなので、省エネルギー効果は極めて大きい。コンプレッサーを使用せず、大量の空気を熱交換できるため、最小の電力で大きな熱エネルギーの移動を成し遂げることができるシステムである。
【００６１】
さらに、気液接触室を接触塔形状とすることで、耐圧性を付与することができ、断熱膨張、圧縮による昇温、冷却効果も付加することができる。これはフェーン現象による昇温効果を塔内で再現することとなる。
【００６２】
ブロワ送風方式のために気体を排出する排出出口部に高性能フィルターをつけることも可能である。空気清浄器と同じレベルでの浄化空気を施設内に送ることが可能である。この気液接触装置１０によれば、冷房運転時と暖房運転時は空気の入口をバルブ操作で切り替える事のみで行うことが可能で、暖房運転時は、送風装置（ブロワ）は気体導出口から吸引することで気液接触室内は弱い負圧状態となる、冷気は接触等で地下水温（一般的に１５〜１８℃）に限りなく近づき、出口において気体は送風装置の加圧により若干昇温する。その後、フェーン現象が装置内で再現され、潜熱による温度上昇も加わることとなる。
【００６３】
冷房運転時は、真夏のケースでは、たとえば３０℃近くの空気が送風装置（ブロワ）で気液接触内に導入される。この時、送風装置（ブロワ）の加圧のため、気体の温度はやや上昇するものの、気液接触内で地下水の温度に限りなく近く冷却される。気液接触室内は、弱い負圧状態であり、噴出されるときに膨張し、温度は更に低下する。
【００６４】
この気液接触装置１０によれば、収容室１１２内の外気の温度調整するに当たって、電気消費量を格段に低減することができる。
【００６５】
本実施の形態は、本発明の範囲内において種々の変形が可能である。
【産業上の利用可能性】
【００６６】
本発明は、冷暖房装置など空調装置の用途に適用することができる。
【符号の説明】
【００６７】
１０  気液接触装置
２０  気液接触室
３０  液体導入口
３２  液体導出口
４０  気体導入口
４２  気体導出口
５０  送風装置
６０ａ〜６０ｇ  第１〜第７の開閉部
７０ａ〜７０ｅ  第１〜第５の管路
８０  液体導入管
８２  液体排出管
１００  第１の空調システム
１１０  第１の室外機システム
１１２  室外機
１１２ａ  吸入部
１１４  収容室
１１６  気体温度調整装置
１２０  室内機
１２２  空調室
２００  第２の空調システム
２１０  第２の室外機システム
２２０  案内路
２３０  送風装置
【図１】
0006029554.tif 000002
【図２】
0006029554.tif 000003
【図３】
0006029554.tif 000004
【図４】
0006029554.tif 000005
【図５】
0006029554.tif 000006